(57)【要約】【課題】  本発明は光ファイバーケーブル固定具に係り、通信装置内の限られたスペースでの光ファイバーケーブルの固定や、装置外に於ける光ファイバーケーブル整線のための固定に於て、光ファイバーケーブルの光特性に悪影響を与えることなく、ネジ等の道具を使わずに容易，確実に光ファイバーケーブルを固定することのできる光ファイバーケーブル固定具を提供することを目的とする。【解決手段】  ブロック状に形成された固定台の上部に、上方から光ファイバーケーブルが挿入可能な溝が形成された光ファイバーケーブル固定具であって、溝内部の対向する両側面に、光ファイバーケーブルの外皮に接触する先端が鋭角に形成され、光ファイバーケーブルの引っ張り方向及び押し込み方向に角度のついたバネ性を有するスパイク羽根が複数設けられていることを特徴とする。【選択図】    図１
2010266519.tif 000002
【特許請求の範囲】
【請求項１】
ブロック状に形成された固定台の上部に、上方から光ファイバーケーブルが挿入可能な溝が形成された光ファイバーケーブル固定具であって、
溝内部の対向する両側面に、光ファイバーケーブルの外皮に接触する先端が鋭角に形成され、光ファイバーケーブルの引っ張り方向及び押し込み方向に角度のついたバネ性を有するスパイク羽根が複数設けられていることを特徴とする光ファイバーケーブル固定具。
【請求項２】
光ファイバーケーブルの引っ張り方向に角度のついた前記スパイク羽根が、前記溝の側面に対向して設けられ、押し込み方向に角度のついた前記スパイク羽根が、前記溝の側面に対向して設けられていることを特徴とする請求項１に記載の光ファイバーケーブル固定具。
【請求項３】
光ファイバーケーブルの引っ張り方向に角度のついた前記スパイク羽根と、押し込み方向に角度のついた前記スパイク羽根が、前記溝の前後に離間して設けられていることを特徴とする請求項２に記載の光ファイバーケーブル固定具。
【請求項４】
光ファイバーケーブルの引っ張り方向に角度のついた前記スパイク羽根と、押し込み方向に角度のついた前記スパイク羽根が、前記溝の側面の上下に設けられていることを特徴とする請求項２に記載の光ファイバーケーブル固定具。
【請求項５】
前記溝の一方の側面に、引っ張り方向に角度のついた前記スパイク羽根が複数設けられると共に、これらに対向して他方の側面に、押し込み方向に角度のついた前記スパイク羽根が複数設けられていることを特徴とする請求項１に記載の光ファイバーケーブル固定具。
【請求項６】
前記スパイク羽根の先端側上部に、Ｒ付けまたはＣ面付けがなされていることを特徴とする請求項１乃至請求項５のいずれか１項に記載の光ファイバーケーブル固定具。
【請求項７】
前記溝の前後の出入口の両側面に、Ｒ付けがなされていることを特徴とする請求項１乃至請求項６のいずれか１項に記載の光ファイバーケーブル固定具。
【請求項８】
前記固定台が、光ファイバーケーブルの固定部位に回転可能に取り付いていることを特徴とする請求項１乃至請求項７のいずれか１項に記載の光ファイバーケーブル固定具。
【請求項９】
前記固定台が、光ファイバーケーブルの固定部位に一体形成されていることを特徴とする請求項１乃至請求項７のいずれか１項に記載の光ファイバーケーブル固定具。
【発明の詳細な説明】
【技術分野】
【０００１】
本発明は光ファイバーケーブル固定具に係り、詳しくは通信装置内の限られたスペースで光ファイバーケーブルを固定するために好適な、また、装置外に於ける光ファイバーケーブル整線のための固定に好適な光ファイバーケーブル固定具に関する。
【背景技術】
【０００２】
高速，大容量化を続ける現代の通信ネットワークでは、従来の電気ケーブルに代え、光ファイバーケーブルを使用して信号の送受信を行っている。そして、大容量のデータ通信サービスとして、昨今、一例として光ファイバーによる家庭向けのデータ通信サービスが普及し、このデータ通信サービスでは、パソコン等の端末機器をネットワークに接続するための宅内設置型装置が加入者宅に設置されている。
【０００３】
そして、この宅内設置型装置にケーブル固定具を介して光ファイバーケーブルが接続されており、光ファイバーケーブルは、主にドロップケーブル等の細線ファイバーケーブルが使用されている。
【０００４】
図１４乃至図１６は特許文献１に開示されたケーブル固定具を示し、このケーブル固定具１は、光ファイバーケーブル３を挟持するくさび型クランプ５と、宅内設置型装置の所定位置に取り付く固定ブロック７と、この固定ブロック７に被せるカバー９とで構成されており、固定ブロック７は断面凹型で、内側の両側面がテーパ面とされたクランプ取付部１１が設けられている。そして、図１５に示すようにクランプ取付部１１にくさび型クランプ５が取り付くようになっており、クランプ取付部１１の両側面には、くさび型クランプ５に設けた爪部１３が係止する鋸歯状凹凸部１５が設けられている。
【０００５】
而して、前記ケーブル固定具１による光ファイバーケーブル３の取付けは、図１４に示すようにくさび型クランプ５で光ファイバーケーブル３の外皮を挟み込み、これを図１５の如くクランプ取付部１１内に挿入，スライドさせて爪部１３を鋸歯状凹凸部１５を係止させることで、光ファイバーケーブル３が宅内設置型装置に接続，固定され、最後に図１６の如く上方より固定ブロック７にカバー９を被せて、光ファイバーケーブル３の接続部が保護されている。
【０００６】
また、特許文献２には、光ファイバーケーブルと光ファイバーケーブルのテンションメンバを、夫々、クランプでネジ止めする光ファイバーケーブルのクランプ装置が開示されている。
【先行技術文献】
【特許文献】
【０００７】
【特許文献１】特開平１０−３３２９５３号公報
【特許文献２】特開２００１−２２８３８１号公報
【発明の概要】
【発明が解決しようとする課題】
【０００８】
しかし乍ら、前記ケーブル固定具１は、くさび型クランプ５に挟み込む光ファイバーケーブル３の線径が限定されてしまうことから、近年使用され始めた様々な線径の光ファイバーケーブルを把持固定するのが困難となっている。
【０００９】
また、前記ケーブル固定具１は、くさび型クランプ５をクランプ取付部１１内に挿入，スライドさせて光ファイバーケーブル３を装置に接続，固定するスライド構造を用いているため、光ファイバーケーブル３の余長処理後にくさび型クランプ５をスライドさせて光ファイバーケーブル３を引っ張ってしまうと、ファイバ心線が断線してしまう虞があった。
【００１０】
更に、(1)くさび型クランプ５で光ファイバーケーブル３の外皮を挟み込み、(2)これをクランプ取付部１１内に挿入し、(3)くさび型クランプ５をスライドさせて爪部１３を鋸歯状凹凸部１５を係止させるという多くの手順を必要とし、また、くさび型クランプ５のスライド長を確保するためクランプ取付部１１が大きくなってしまうと共に、部品点数が多くなってしまう欠点があった。
【００１１】
一方、特許文献２の如く光ファイバーケーブルを締め付け固定する従来構造では、光ファイバーケーブル内部のファイバ心線も同時に締め付けるため、ファイバ心線に歪みを与えて光特性に支障を来す虞がある。
【００１２】
また、光特性に影響を与えないようにするために締め付けを軽減させると、光ファイバーケーブルを確実に固定することが困難になり、光ファイバーケーブルの固定が外れてしまう現象が生じる。而も、ネジ止めするための工具が必要となり、時間と工数がかかってしまう不具合も指摘されている。
【００１３】
本発明は斯かる実情に鑑み案出されたもので、通信装置内の限られたスペースでの光ファイバーケーブルの固定や、装置外に於ける光ファイバーケーブル整線のための固定に於て、光ファイバーケーブルの光特性に悪影響を与えることなく、ネジ等の道具を使わずに容易，確実に光ファイバーケーブルを固定することのできる光ファイバーケーブル固定具を提供することを目的とする。
【課題を解決するための手段】
【００１４】
斯かる目的を達成するため、請求項１に係る発明は、ブロック状に形成された固定台の上部に、上方から光ファイバーケーブルが挿入可能な溝が形成された光ファイバーケーブル固定具であって、溝内部の対向する両側面に、光ファイバーケーブルの外皮に接触する先端が鋭角に形成され、光ファイバーケーブルの引っ張り方向及び押し込み方向に角度のついたバネ性を有するスパイク羽根が複数設けられていることを特徴とする。
【００１５】
そして、請求項２に係る発明は、請求項１に記載の光ファイバーケーブル固定具に於て、光ファイバーケーブルの引っ張り方向に角度のついた前記スパイク羽根が、前記溝の側面に対向して設けられ、押し込み方向に角度のついた前記スパイク羽根が、前記溝の側面に対向して設けられていることを特徴とする。
【００１６】
更に、請求項３に係る発明は、請求項２に記載の光ファイバーケーブル固定具に於て、光ファイバーケーブルの引っ張り方向に角度のついた前記スパイク羽根と、押し込み方向に角度のついた前記スパイク羽根が、前記溝の前後に離間して設けられていることを特徴とし、請求項４に係る発明は、請求項２に記載の光ファイバーケーブル固定具に於て、光ファイバーケーブルの引っ張り方向に角度のついた前記スパイク羽根と、押し込み方向に角度のついた前記スパイク羽根が、前記溝の側面の上下に設けられていることを特徴とする。
【００１７】
また、請求項５に係る発明は、請求項１に記載の光ファイバーケーブル固定具に於て、前記溝の一方の側面に、引っ張り方向に角度のついた前記スパイク羽根が複数設けられると共に、これらに対向して他方の側面に、押し込み方向に角度のついた前記スパイク羽根が複数設けられていることを特徴とする。
【００１８】
一方、請求項６に係る発明は、請求項１乃至請求項５のいずれか１項に記載の光ファイバーケーブル固定具に於て、前記スパイク羽根の先端側上部に、Ｒ付けまたはＣ面付けがなされていることを特徴とし、請求項７に係る発明は、請求項１乃至請求項６のいずれか１項に記載の光ファイバーケーブル固定具に於て、前記溝の前後の出入口の両側面に、Ｒ付けがなされていることを特徴とする。
【００１９】
そして、請求項８に係る発明は、請求項１乃至請求項７のいずれか１項に記載の光ファイバーケーブル固定具に於て、前記固定台が、光ファイバーケーブルの固定部位に回転可能に取り付いていることを特徴とし、請求項９に係る発明は、請求項１乃至請求項７のいずれか１項に記載の光ファイバーケーブル固定具に於て、前記固定台が、光ファイバーケーブルの固定部位に一体形成されていることを特徴とする。
【発明の効果】
【００２０】
請求項１乃至請求項５に係る発明によれば、
(a)光ファイバーケーブルの固定に当たり、固定台の溝に光ファイバーケーブルを挿入する（嵌め込む）だけでよく、特殊な工具や技能を必要としないため、簡単に作業ができる。
【００２１】
(b)スパイク羽根が、光ファイバーケーブルを溝内に嵌め込む力で先端側が外側へ広がるバネ性を有しているため、光ファイバーケーブルを溝に容易に嵌め込むことができる、
(c)溝内に嵌め込まれた光ファイバーケーブルが、スパイク羽根の先端で押さえ込まれて保持されると共に、光ファイバーケーブルの引っ張り，押し込みに対し、スパイク羽根の先端が光ファイバーケーブルの外皮に食い込んで、溝からの引っ張り方向及び押し込み方向への光ファイバーケーブルの抜けを防止するため、光ファイバーケーブルを確実に固定することができる。
【００２２】
(d)スパイク羽根は、光ファイバーケーブルの外皮に食い込むだけでファイバ心線に応力が加わらないため、光ファイバーケーブルの光特性に悪影響を与えることがない。
【００２３】
(e)光ファイバーケーブルの外皮をバネ性を有するスパイク羽根で押さえ込むため、光ファイバーケーブル外皮径の公差が生じた場合でも、スパイク羽根のバネ性の反発によって公差を吸収し、十分な固定力を確保することができる。
【００２４】
(f)構造の単純化，部品点数の削減によって低コスト化が図れると共に、光ファイバーケーブルに対する把持構造を小スペースにしたことで、通信機器（筐体）の小型化を図ることが可能となる。
【００２５】
そして、請求項６に係る発明によれば、スパイク羽根の先端側上部に、Ｒ付けまたはＣ面付けがなされているため、光ファイバーケーブルを溝にスムーズに嵌め込むことができ、請求項７に係る発明によれば、溝の前後の出入口の両側面にＲ付けがなされているため、固定台の溝に光ファイバーケーブルを挿入した後、光ファイバーケーブルが左右に曲げられても、ファイバ心線に余分な負荷がかかることがない。
【００２６】
更に、請求項８に係る発明によれば、固定台が光ファイバーケーブルの固定部位に回転可能に取り付くことで、溝への光ファイバーケーブルの挿入に当たり、光ファイバーケーブルのルートに沿って固定台を回転させることができるため、ファイバ心線に余分な負荷がかかることがない。
【００２７】
そして、請求項９に係る発明によれば、固定台を光ファイバーケーブルの固定部位に一体形成することで、固定台の部品管理が不要となる利点を有する。
【図面の簡単な説明】
【００２８】
【図１】請求項１乃至請求項３及び請求項６乃至請求項８の第一実施形態に係る光ファイバーケーブル固定具の全体斜視図である。
【図２】光ファイバーケーブル固定具の平面図である。
【図３】図２のIII−III線断面図である。
【図４】図２のＣ部拡大平面図である。
【図５】光ファイバーケーブル固定具の取付方法の説明図である。
【図６】光ファイバーケーブル固定具の底部側全体斜視図である。
【図７】請求項１乃至請求項３及び請求項６乃至請求項８の第二実施形態に係る光ファイバーケーブル固定具の全体斜視図である。
【図８】光ファイバーケーブル固定具の平面図である。
【図９】請求項１乃至請求項３及び請求項６，請求項７の一実施形態に係る光ファイバーケーブル固定具の全体斜視図である。
【図１０】請求項１，請求項２，請求項４及び請求項６乃至請求項８の一実施形態に係る光ファイバーケーブル固定具の平面図である。
【図１１】図１０のXI−XI線断面図である。
【図１２】請求項１，請求項５乃至請求項８の一実施形態に係る光ファイバーケーブル固定具の平面図である。
【図１３】図１２のXIII−XIII線断面図である。
【図１４】従来の光ファイバーケーブル固定具を構成するくさび型クランプの斜視図である。
【図１５】従来の光ファイバーケーブル固定具による光ファイバーケーブルの固定方法を示す斜視図である。
【図１６】従来の光ファイバーケーブル固定具による光ファイバーケーブルの固定方法を示す斜視図である。
【発明を実施するための形態】
【００２９】
以下、本発明の実施形態を図面に基づいて詳細に説明する。
【００３０】
図１乃至図６は請求項１乃至請求項３及び請求項６乃至請求項８の第一実施形態に係る光ファイバーケーブル固定具を示し、図１に於て、２１は一例としてＡＢＳ樹脂を用いてブロック状の直方体形状に形成された固定台で、その上部２３の中央に、光ファイバーケーブル（ドロップケーブル）２５を上方から挿入可能（嵌め込み可能）な直線状の溝２７が長手方向に設けられている。
【００３１】
そして、図１及び図２に示すように溝２７中央の両側面と、溝２７の前後（固定台２１の長手方向の前後）の出入口の両側面に、夫々、光ファイバーケーブル２５を左右から位置決め保持する一対の突片２９ａ，２９ｂ，３１ａ，３１ｂ，３３ａ，３３ｂが、上部２３と面一に対向して突設されている。そして、各突片２９ａ，２９ｂ，３１ａ，３１ｂ，３３ａ，３３ｂの先端側上部の角部にＣ面付けがなされると共に、出入口側の突片３１ａ，３１ｂ，３３ａ，３３ｂの先端側側面にＲ付けがなされており、斯かる構造によって、固定台２１の上方から溝２７内に光ファイバーケーブル２５が挿入し易く、また、図２の如く溝２７内に光ファイバーケーブル２５を挿入した後、光ファイバーケーブル２５が二点鎖線で示すように左右に曲げられても、光ファイバーケーブル２５のファイバ心線に余分な負荷がかからないようになっている。
【００３２】
更に、図１及び図２に示すように中央の突片２９ａ，２９ｂを挟んで該突片２９ａ，２９ｂと前記突片３１ａ，３１ｂとの間の溝２７の両側面に、光ファイバーケーブル２５の引っ張り方向（図１及び図２中、矢印Ａ方向）に角度θ（θ≒３５°）のついた複数のスパイク羽根３５が対向して設けられると共に、これらと離間して前記突片２９ａ，２９ｂと突片３３ａ，３３ｂとの間の溝２７の両側面に、光ファイバーケーブル２５の押し込み方向（図１及び図２中、矢印Ｂ方向）に角度θ（θ≒３５°）のついた複数のスパイク羽根３７が対向して設けられている。
【００３３】
而して、図１乃至図４に示すようにスパイク羽根３５，３７は、夫々、前記角度θを以って溝２７の内方へ突設された薄肉なフィンの如き羽根形状をなし、固定台２１の略半分の高さ寸法を以って上部２３と面一に設けられている。
【００３４】
そして、スパイク羽根３５，３７は、溝２７内への光ファイバーケーブル２５の挿入時に、図４の実線で示す形状から二点鎖線で示すように外側へ広がるバネ性を有すると共に、逆にある一定の位置からは内側に変形しない構造となっている。そして、光ファイバーケーブル２５の挿入後は、変形後の復元力でスパイク羽根３５，３７が光ファイバーケーブル２５の外皮３９を押さえ付けて、これを保持するようになっている。
【００３５】
更に、図１，図２及び図４に示すように、光ファイバーケーブル２５の外皮３９に接触するスパイク羽根３５，３７の先端は鋭角に形成されており、斯様にスパイク羽根３５，３７の先端を鋭角に形成することで、溝２７内に挿入した光ファイバーケーブル２５の前記矢印Ａ方向への引っ張りに対し、スパイク羽根３７の先端が光ファイバーケーブル２５の外皮３９に食い込む所謂スパイク作用によって、光ファイバーケーブル２５が溝２７から引っ張り方向に抜け難くなっている。
【００３６】
同様に、溝２７内に挿入した光ファイバーケーブル２５の矢印Ｂ方向への押し込みに対し、スパイク羽根３５の先端が光ファイバーケーブル２５の外皮３９に食い込むスパイク作用によって、光ファイバーケーブル２５が溝２７から押し込み方向に抜け難くなっている。
【００３７】
また、前記突片２９ａ，２９ｂ，３１ａ，３１ｂ，３３ａ，３３ｂと同様、溝２７内に光ファイバーケーブル２５を上方から挿入し易くするため、図１乃至図４に示すように各スパイク羽根３５，３７の先端側上部にＣ面付けがなされている。尚、Ｃ面付けに代えてＲ付けをしてもよい。
【００３８】
一方、図３及び図５，図６に示すように固定台２１の底部４１には、周縁部を残して前記溝２７に連通する平面視矩形状の凹部４３が設けられており、その中央に支持片４５が底部４１と面一に架設されている。そして、該支持片４５に、従来周知のバネ性を有する一個のクランプ（係止爪）４７が下方へ突設されており、図５に示すように該クランプ４７を通信機器の筐体４９（光ファイバーケーブル２５の固定部位）内に設けた固定穴５１に差し込むことで、固定台２１が筐体４９内に回転可能に取り付くようになっている。
【００３９】
その他、図１中、５２は光ファイバーケーブル２５に装着されたコネクタである。
【００４０】
本実施形態に係る光ファイバーケーブル固定具５３はこのように構成されており、次に、該光ファイバーケーブル固定具５３を用いた光ファイバーケーブル２５の固定方法を説明する。
【００４１】
先ず、図５の如く通信機器の筐体４９内に設けた固定穴５１にクランプ４７を差し込んで、固定台２１を回転可能に取り付けておく。
【００４２】
そして、筐体４９内のコネクタに光ファイバーケーブル２５のコネクタ５２を接続した後、図１に示すように光ファイバーケーブル２５を、固定台２１の上部２３に設けた溝２７内に上方から挿入すれば（嵌め込めば）よく、固定台２１は筐体４９に回転可能に取り付けられているため、溝２７への光ファイバーケーブル２５の挿入に当たり、光ファイバーケーブル２５のルートに沿って固定台２１を回転させればよい。
【００４３】
而して、既述したように突片２９ａ，２９ｂ，３１ａ，３１ｂ，３３ａ，３３ｂとスパイク羽根３５，３７の先端側上部にはＣ面付けがなされているため、光ファイバーケーブル２５が溝２７内にスムーズに案内されて挿入がし易く、また、図４の二点鎖線で示すように光ファイバーケーブル２５を溝２７内に嵌め込む力でスパイク羽根３５，３７の先端側が外側へ広がるため、光ファイバーケーブル２５を溝２７に容易に嵌め込むことができる。そして、光ファイバーケーブル２５の挿入後は、変形後の復元力でスパイク羽根３５，３７が光ファイバーケーブル２５の外皮３９を押さえ付けてこれを保持する。
【００４４】
そして、既述したようにスパイク羽根３５，３７は、逆にある一定の位置からは内側に変形しない構造となってため、溝２７内に嵌め込んだ光ファイバーケーブル２５の引っ張り，押し込みに対し、スパイク羽根３５，３７の先端が光ファイバーケーブル２５の外皮３９に食い込んで（スパイク作用）、溝２７からの引っ張り方向及び押し込み方向への光ファイバーケーブル２５の抜けを防止することとなる。
【００４５】
このように本実施形態に係る光ファイバーケーブル固定具５３を用いて光ファイバーケーブル２５を筐体４９に固定することができ、本実施形態によれば、従来に比し、以下の如き優れた作用効果を有する。
【００４６】
(1)光ファイバーケーブル２５の固定に当たり、固定台２１の溝２７に光ファイバーケーブル２５を嵌め込むだけでよく、特殊な工具や技能を必要としないため、簡単に作業ができる。
【００４７】
(2)突片２９ａ，２９ｂ，３１ａ，３１ｂ，３３ａ，３３ｂとスパイク羽根３５，３７の先端側上部にＣ面付けがなされているため、光ファイバーケーブル２５を溝２７にスムーズに嵌め込むことができる。
【００４８】
(3)図４の二点鎖線で示すように、光ファイバーケーブル２５を溝２７内に嵌め込む力でスパイク羽根３５，３７の先端側が外側へ広がるため、光ファイバーケーブル２５を溝２７に容易に嵌め込むことができる。
【００４９】
(4)溝２７内に嵌め込まれた光ファイバーケーブル２５が、スパイク羽根３５，３７の先端で押さえ込まれて保持されると共に、光ファイバーケーブル２５の引っ張り，押し込みに対し、スパイク羽根３５，３７の先端が光ファイバーケーブル２５の外皮３９に食い込んで、溝２７からの引っ張り方向及び押し込み方向への光ファイバーケーブル２５の抜けを防止するため、光ファイバーケーブル２５を確実に固定することができる。
【００５０】
(5)スパイク羽根３５，３７は光ファイバーケーブル２５の外皮３９に食い込むだけでファイバ心線に応力が加わらないため、光ファイバーケーブル２５の光特性に悪影響を与えることがない。
【００５１】
(6)光ファイバーケーブル２５の外皮をバネ性を有するスパイク羽根３５，３７で押さえ込むため、光ファイバーケーブル外皮径の公差が生じた場合でも、スパイク羽根３５，３７のバネ性の反発によって公差を吸収し、十分な固定力を確保することができる。
【００５２】
(7)固定台２１を筐体４９に回転可能に取り付けることができるため、溝２７への光ファイバーケーブル２５の挿入に当たり、光ファイバーケーブル２５のルートに沿って固定台２１を回転させることができ、光ファイバーケーブル２５のファイバ心線に余分な負荷がかかることがない。
【００５３】
(8)溝２７の出入口側の突片３１ａ，３１ｂ，３３ａ，３３ｂの先端側側面にＲ付けがなされているため、図２の如く溝２７内に光ファイバーケーブル２５を挿入した後、光ファイバーケーブル２５が二点鎖線で示すように左右に曲げられても、光ファイバーケーブル２５のファイバ心線に余分な負荷がかかることがない。
【００５４】
(9)図１４の従来例に比し、構造の単純化，部品点数の削減によって低コスト化が図れると共に、光ファイバーケーブル２５に対する把持構造を小スペースにしたことで、通信機器（筐体４９）の小型化を図ることが可能となった。
【００５５】
尚、前記実施形態は、光ファイバーケーブル固定具５３を、光通信装置の筐体４９内への光ファイバーケーブル２５の固定に使用したが、装置外に於ける整線のための光ファイバーケーブル２５の固定に使用できることは勿論である。
【００５６】
図７及び図８は請求項１乃至請求項３及び請求項６乃至請求項８の第二実施形態に係る光ファイバーケーブル固定具を示し、本実施形態は、前記固定台２１の外形形状に代えて固定台５５をブロック状の円柱形状に形成すると共に、通信機器の筐体５７内（光ファイバーケーブル２５の固定部位）に固定台５５の土台５９を一体に突設したもので、固定台５５は、円柱状の外形形状を除き、その他の構造は前記固定台２１と同様であるため、同一のものには同一符号を付してそれらの説明は省略する。
【００５７】
一方、図示するように土台５９は平面視矩形状に形成され、その上面６１の長手方向の端部側に、固定台５５の外形形状に沿った円弧状のガイド面６３が対向する一対のガイド部６５が設けられており、両ガイド面６３に沿って一対のガイド部６５内に固定台５５が収納されるようになっている。
【００５８】
また、前記土台５９の裏面側は中空とされて、両ガイド部６３間の上面５９の中央に、固定台５５の底部に突設したクランプ４７が差し込み可能な固定穴６７が設けられており、固定穴６７にクランプ４７を差し込むことで、固定台５５が一対のガイド部６５間に回転可能に取り付くようになっている。
【００５９】
本実施形態に係る光ファイバーケーブル固定具６９はこのように構成されており、本実施形態によっても、前記光ファイバーケーブル固定具５３と同様、所期の目的を達成することが可能で、既述した(1)〜(9)の作用効果を奏することができる。
【００６０】
尚、既述した２つの実施形態は、固定台２１，５５を筐体４９，５７に回転可能に取り付けたが、例えば図６のクランプ４７を固定台２１の長手方向に２つ突設すると共に、これらに対応して筐体４９側に２つの固定穴５１を設けて、固定台２１を筐体４９に回転不能に固定してもよい。
【００６１】
また、図９に示すように取付ネジ７１を用いて固定台７３を筐体７５内（光ファイバーケーブル２５の固定部位）に固定してもよく、本実施形態は、前記固定台２１のクランプ４７に代えて、固定台７３底部の支持片にネジ挿通穴７７を設けると共に、筐体７５側に取付ネジ穴７９を設けたものである。
【００６２】
そして、固定台７３は、前記固定台２１の溝２７の中央に設けた突片２９ａ，２９ｂに代え、取付ネジ７１のネジ頭８１の外形形状に沿った凹部８３を先端に有する一対の突片８５ａ，８５ｂを設けたもので、その他の突片３１ａ，３１ｂ，３３ａ，３３ｂやスパイク羽根３５，３７等の構成は固定台２１と同一構造である。
【００６３】
本実施形態に係る光ファイバーケーブル固定具８７はこのように構成されており、本実施形態によっても、前記光ファイバーケーブル固定具５３と同様、所期の目的を達成することが可能で、既述した(1)〜(6)，(8)，(9)の作用効果を奏することができる。
【００６４】
図１０及び図１１は請求項１，請求項２，請求項４及び請求項６乃至請求項８の一実施形態に係る光ファイバーケーブル固定具を示し、本実施形態に係る光ファイバーケーブル固定具８９は、図２の突片２９ａ，２９ｂとスパイク羽根３５，３７に代え、固定台９１の上部９３に設けた溝９５の両側面の上側に、光ファイバーケーブル２５の引っ張り方向（図１０中、矢印Ａ方向）に角度のついた複数のスパイク羽根９７を対向して設けると共に、溝９５の両側面の下側に、光ファイバーケーブル２５の押し込み方向（図１０中、矢印Ｂ方向）に角度のついた複数のスパイク羽根９９を対向して設けたもので、図１１に示すように上部側に位置するスパイク羽根９７の先端側上部はＣ面付けがなされて、溝９５への光ファイバーケーブル２５の嵌め込みがし易くなっている。そして、溝９５の前後（固定台９１の長手方向の前後）の出入口の両側面に、前記３１ａ，３１ｂ，３３ａ，３３ｂと同一構造からなる突片１０１ａ，１０１ｂ，１０３ａ，１０３ｂが、上部９３と面一に対向して突設されている。
【００６５】
尚、本実施形態のスパイク羽根９７，９９も、前記スパイク羽根３５，３７と同様、溝９５内への光ファイバーケーブル２５の挿入時に外側へ広がるバネ性を有すると共に、逆にある一定の位置からは内側に変形しない構造となっている。そして、光ファイバーケーブル２５の挿入後は、変形後の復元力でスパイク羽根９７，９９が光ファイバーケーブル２５の外皮３９を押さえ付けて、これを保持するようになっている。
【００６６】
また、図１０及び図１１に示すように、光ファイバーケーブル２５の外皮３９に接触するスパイク羽根９７，９９の先端は鋭角に形成されており、光ファイバーケーブル２５の引っ張り，押し込みに対し、スパイク羽根９７，９９の先端が光ファイバーケーブル２５の外皮３９に食い込むスパイク作用によって、光ファイバーケーブル２５が溝９５から抜け難くなっている。
【００６７】
そして、図１１に示すように固定台９１の底部１０５には、周縁部を残して前記溝９５に連通する平面視矩形状の凹部１０７が設けられており、その中央に前記クランプ４７が突設された図６の支持片４５が架設されている。そして、本実施形態に於ても、図示しない筐体（光ファイバーケーブル２５の固定部位）内に設けた固定穴に差し込むことで、固定台９１が筐体内に回転可能に取り付くようになっている。
【００６８】
本実施形態に係る光ファイバーケーブル固定具８９はこのように構成されているから、筐体内の固定穴５１にクランプ４７を差し込んで、固定台９１を回転可能に取り付けた後、光ファイバーケーブル２５を、固定台９１の上部９３に設けた溝９５内に上方から挿入すれば（嵌め込めば）よく、固定台９１は筐体に回転可能に取り付けられているため、溝９５への光ファイバーケーブル２５の挿入に当たり、光ファイバーケーブル２５のルートに沿って固定台９１を回転させればよい。
【００６９】
而して、既述したように突片１０１ａ，１０１ｂ，１０３ａ，１０３ｂとスパイク羽根９７の先端側上部にはＣ面付けがなされているため、光ファイバーケーブル２５が溝９５内にスムーズに案内されて挿入がし易く、また、光ファイバーケーブル２５を溝９５内に嵌め込む力でスパイク羽根９７，９９の先端側が外側へ広がるため、光ファイバーケーブル２５を溝９５に容易に嵌め込むことができる。そして、光ファイバーケーブル２５の挿入後は、変形後の復元力でスパイク羽根９７，９９が上下から光ファイバーケーブル２５の外皮３９を押さえ付けてこれを保持する。
【００７０】
そして、既述したようにスパイク羽根９７，９９は、逆にある一定の位置からは内側に変形しない構造となってため、溝９５内に嵌め込んだ光ファイバーケーブル２５の引っ張り，押し込みに対し、スパイク羽根９７，９９の先端が光ファイバーケーブル２５の外皮３９に食い込んで（スパイク作用）、溝９５からの引っ張り方向及び押し込み方向への光ファイバーケーブル２５の抜けを防止することとなる。
【００７１】
このように本実施形態に係る光ファイバーケーブル固定具５３を用いて光ファイバーケーブル２５を筐体に固定することができ、本実施形態によっても、前記前記光ファイバーケーブル固定具５３と同様、所期の目的を達成することができ、既述した(1)〜(9)の作用効果を奏することが可能である。
【００７２】
図１２及び図１３は請求項１，請求項５乃至請求項８に係る発明の一実施形態を示し、本実施形態に係る光ファイバーケーブル固定具１０９は、前記スパイク羽根９７，９９に代え、固定台１１１の上部１１３に設けた溝１１５の両側面の一方に、光ファイバーケーブル２５の引っ張り方向（図１２中、矢印Ａ方向）に角度のついた複数のスパイク羽根１１７を設けると共に、これに対向して溝１１５の他方の側面に、光ファイバーケーブル２５の押し込み方向（図１２中、矢印Ｂ方向）に角度のついた複数のスパイク羽根１１９を設けたもので、図１３に示すように両スパイク羽根１１７，１１９の先端側上部はＣ面付けがなされて、溝１１５への光ファイバーケーブル２５の嵌め込みがし易くなっている。
【００７３】
而して、本実施形態のスパイク羽根１１７，１１９も、溝１１５内への光ファイバーケーブル２５の挿入時に外側へ広がるバネ性を有すると共に、逆にある一定の位置からは内側に変形しない構造となっている。そして、光ファイバーケーブル２５の挿入後は、変形後の復元力でスパイク羽根１１７，１１９が光ファイバーケーブル２５の外皮３９を押さえ付けて、これを保持するようになっている。
【００７４】
また、図１２及び図１３に示すように、光ファイバーケーブル２５の外皮３９に接触するスパイク羽根１１７，１１９の先端は鋭角に形成されており、光ファイバーケーブル２５の引っ張り，押し込みに対し、スパイク羽根１１７，１１９の先端が光ファイバーケーブル２５の外皮３９に食い込むスパイク作用によって、光ファイバーケーブル２５が溝１１５から抜け難くなっている。
【００７５】
そして、図１３に示すように固定台１１１の底部１２１には、周縁部を残して前記溝１１５に連通する平面視矩形状の凹部１２３が設けられており、その中央に前記クランプ４７が突設された図６の支持片４５が架設されている。そして、本実施形態に於ても、図示しない筐体（光ファイバーケーブル２５の固定部位）内に設けた固定穴に差し込むことで、固定台１１１が筐体内に回転可能に取り付くようになっているが、固定台１１１は前記固定台２１，７３，９１に比し、長手方向に短寸に形成されている。
【００７６】
本実施形態に係る光ファイバーケーブル固定具１０９はこのように構成されており、本実施形態によっても、前記光ファイバーケーブル固定具５３と同様、所期の目的を達成することが可能で、既述した(1)〜(9)の作用効果を奏することができると共に、固定台１１１は前記固定台２１，７３，９１に比し長手方向に短寸とされているため、更なる小スペースでの利用が可能となる。
【００７７】
尚、既述した各実施形態は、固定台を筐体に回転可能に取り付けたり、取付ネジを用いて固定台を筐体に後付けする構造であるが、図示しない請求項９の一実施形態の如く、既述した固定台を光ファイバーケーブルの固定部位に一体形成してもよい。
【００７８】
而して、斯かる実施形態によっても、図９の実施形態と同様、所期の目的を達成することが可能である。また、本実施形態によれば、斯様に固定台を筐体等に一体形成した構造上、固定台の部品管理が不要となる利点を有する。
【００７９】
そして、既述したが、本発明は装置外に於ける整線のための光ファイバーケーブルの固定に使用できることは勿論である。
【符号の説明】
【００８０】
２１，５５，７３，９１，１１１  固定台
２３，９３，１１３  固定台の上部
２５  光ファイバーケーブル
２７，９５，１１５  溝
２９ａ，２９ｂ，３１ａ，３１ｂ，３３ａ，３３ｂ，８５ａ，８５ｂ，１０１ａ，１０１ｂ，１０３ａ，１０３ｂ  突片
３５，３７，９７，９９，１１７，１１９  スパイク羽根
３９  光ファイバーケーブルの外皮
４７  クランプ
４９，５７，７５  通信機器の筐体（光ファイバーケーブルの固定部位）
５１，６７  固定穴
５２  クランプ
５３，６９，８７，８９，１０９  光ファイバーケーブル固定具
５９  土台
６３  ガイド面
６５  ガイド部
７１  取付ネジ
７７  ネジ挿通穴
７９  取付ネジ穴
８３  凹部
【図１】
2010266519.tif 000003
【図２】
2010266519.tif 000004
【図３】
2010266519.tif 000005
【図４】
2010266519.tif 000006
【図５】
2010266519.tif 000007
【図６】
2010266519.tif 000008
【図７】
2010266519.tif 000009
【図８】
2010266519.tif 000010
【図９】
2010266519.tif 000011
【図１０】
2010266519.tif 000012
【図１１】
2010266519.tif 000013
【図１２】
2010266519.tif 000014
【図１３】
2010266519.tif 000015
【図１４】
2010266519.tif 000016
【図１５】
2010266519.tif 000017
【図１６】
2010266519.tif 000018